(57)【要約】【課題】カバー取り外し作業に際して作業者がロック解除のために手を入れる空間がカバーの周辺に不要となる電気接続箱のカバー係止構造を提供する。【解決手段】電気接続箱のカバー係止構造は、カバー隠蔽面２５に対して垂直で互いに平行な第１側面部２７及び第２側面部に少なくとも１つずつ形成されてカバー隠蔽面２５に対して平行な被係止面部を有するヒューズユニット１１と、カバー隠蔽面２５を覆う天壁３７の両側に延設された第１側壁３９と第２側壁の間の第３側壁に突設された操作部４５と、第１側壁３９及び第２側壁に形成されて被係止面部のそれぞれを係止面部が係止する複数のロック片４７と、これらロック片４７のうち操作部４５に近接するロック片４７に形成されて係止面部と突出端面部とで挟まれるエッジ部の操作部側を操作部４５に向かって徐々に大きく切り欠いたテーパ部と、を有するヒューズカバー１３と、を備える。【選択図】図１
2019054661.tif 000002
【特許請求の範囲】
【請求項１】
カバー隠蔽面に対して垂直で互いに平行な第１側面部及び第２側面部と、前記第１側面部及び前記第２側面部に少なくとも１つずつ形成されて前記カバー隠蔽面に対して平行な被係止面部と、を有するカバー被着体と、
前記カバー隠蔽面を覆う天壁の両側に延設されて前記第１側面部及び前記第２側面部にそれぞれ対向する第１側壁及び第２側壁と、前記第１側壁と前記第２側壁の間の第３側壁に突設された操作部と、前記第１側壁及び前記第２側壁に形成されて前記被係止面部のそれぞれを係止面部が係止する複数のロック片と、これらロック片のうち少なくとも前記操作部に最も近い前記ロック片に形成されて前記係止面部と前記係止面部に垂直な突出端面部とで挟まれるエッジ部の操作部側を前記操作部に向かって徐々に大きく切り欠いたテーパ部と、を有するカバーと、
を備えることを特徴とする電気接続箱のカバー係止構造。
【請求項２】
請求項１に記載の電気接続箱のカバー係止構造であって、
前記カバー被着体は、前記カバーにおける前記第１側壁及び前記第２側壁の少なくとも一方に近接して前記カバー被着体を包囲する周壁が形成された電気接続箱に搭載されることを特徴とする電気接続箱のカバー係止構造。
【請求項３】
請求項２に記載の電気接続箱のカバー係止構造であって、
前記電気接続箱は、前記周壁の一外面が、バッテリに対向して配置されることを特徴とする電気接続箱のカバー係止構造。
【発明の詳細な説明】
【技術分野】
【０００１】
本発明は、電気接続箱のカバー係止構造に関する。
【背景技術】
【０００２】
防水、防塵のためにヒューズユニット等の電気接続箱の上部を覆うヒューズカバーやバッテリカバーが知られている（特許文献１、２等参照）。特許文献１の電気接続箱では、ヒューズ搭載部の両側面に設けた係止突起に、ヒューズカバーの両側面に設けた枠型突起を係止して、ヒューズカバーを電気接続箱に保持している。特許文献２のバッテリカバーでは、ヒューズユニット側壁の凹部に、第１のカバー両側側壁に設けたロック部を係合することにより、第１のカバーをヒューズユニットに固定している。第１のカバーには、端子の接続やヒューズの視認を行う第２のカバーが、ヒンジ部を介して開閉自在に接続されて、メンテナンスが良好に行えるように構成されている。
【先行技術文献】
【特許文献】
【０００３】
【特許文献１】実開平５−５５７２１号公報
【特許文献２】特開２００２−２８９１７１号公報
【発明の概要】
【発明が解決しようとする課題】
【０００４】
しかしながら、従来のカバー係止構造は、車両整備などのために、カバーの係止部を解除することで、カバー全体をヒューズユニットから取り外す必要がある。その際、例えば上記特許文献２のバッテリカバーの場合、第２のカバーは、ヒューズユニット周辺の環境に影響されることなく容易に解除ができる。一方、第１のカバーは、ロック解除する際に作業者が両手で対向する係止部を離間する方向に押し広げる手間がかかり、周辺には手を入れる空間が必要であった。これは、上記特許文献１の電気接続箱におけるヒューズカバーの場合も同様である。そのため、従来のカバー係止構造は、周辺にスペース的制約がある場合、カバー取り外し作業がやり難いという問題があった。
【０００５】
本発明は上記状況に鑑みてなされたもので、その目的は、カバー取り外し作業に際して作業者がロック解除のために手を入れる空間がカバーの周辺に不要となる電気接続箱のカバー係止構造を提供することにある。
【課題を解決するための手段】
【０００６】
本発明に係る上記目的は、下記構成により達成される。
（１）  カバー隠蔽面に対して垂直で互いに平行な第１側面部及び第２側面部と、前記第１側面部及び前記第２側面部に少なくとも１つずつ形成されて前記カバー隠蔽面に対して平行な被係止面部と、を有するカバー被着体と、前記カバー隠蔽面を覆う天壁の両側に延設されて前記第１側面部及び前記第２側面部にそれぞれ対向する第１側壁及び第２側壁と、前記第１側壁と前記第２側壁の間の第３側壁に突設された操作部と、前記第１側壁及び前記第２側壁に形成されて前記被係止面部のそれぞれを係止面部が係止する複数のロック片と、これらロック片のうち少なくとも前記操作部に最も近い前記ロック片に形成されて前記係止面部と前記係止面部に垂直な突出端面部とで挟まれるエッジ部の操作部側を前記操作部に向かって徐々に大きく切り欠いたテーパ部と、を有するカバーと、を備えることを特徴とする電気接続箱のカバー係止構造。
【０００７】
上記（１）の構成の電気接続箱のカバー係止構造によれば、カバー被着体に、カバーが取り付けられることで、カバー被着体のカバー隠蔽面がカバーにより覆われる。カバーは、第１側壁及び第２側壁のそれぞれに設けられたロック片の係止面部が、カバー被着体の被係止面部のそれぞれを係止することにより、カバー被着体に取り付けられる。複数のロック片のうち少なくとも操作部に最も近いロック片には、テーパ部が形成されている。このテーパ部は、カバーの操作部が、カバーを取り外す方向に引き上げられると、被係止面部に当たる。更に、操作部が引き上げられると、ロック片は、テーパ部により被係止面部から離反する方向の分力を受けて撓み、被係止面部から離反する。その結果、ロック片は、被係止面部に対する係止面部の係止が解除される。カバーは、互いに平行な第１側壁及び第２側壁のうち、一方のロック片の係止が解除されることにより、他方のロック片の係止が容易に解除可能となる。このため、カバーは、片手の手指による操作部の引き上げ動作のみで、取り外しが可能となる。従って、本構成の電気接続箱のカバー係止構造では、従来構造のように、作業者が両手で対向する係止部を離間する方向に押し広げてロック解除するために手を入れる空間がカバーの周辺に不要となる。
【０００８】
（２）  上記（１）に記載の電気接続箱のカバー係止構造であって、前記カバー被着体は、前記カバーにおける前記第１側壁及び前記第２側壁の少なくとも一方に近接して前記カバー被着体を包囲する周壁が形成された電気接続箱に搭載されることを特徴とする電気接続箱のカバー係止構造。
【０００９】
上記（２）の構成の電気接続箱のカバー係止構造によれば、カバー被着体が、電気接続箱内に搭載される。電気接続箱には、カバー被着体を包囲する周壁が形成されている。周壁に包囲されたカバー被着体は、第１側壁と第２側壁の少なくとも一方が周壁に近接する。即ち、電気接続箱は、第１側壁と第２側壁の少なくとも一方と周壁との距離を小さくしてカバー被着体を搭載できる。これにより、電気接続箱は、カバー被着体及び操作部を周壁に近接配置させて小型化を図る部品レイアウトに有効に用いることができる。
【００１０】
（３）  上記（２）に記載の電気接続箱のカバー係止構造であって、前記周壁の一外面が、バッテリに対向して配置されることを特徴とする電気接続箱のカバー係止構造。
【００１１】
上記（３）の構成の電気接続箱のカバー係止構造によれば、バッテリに近接して電気接続箱を取り付けた際、カバー被着体及び操作部をバッテリに近接配置できる。本構成の電気接続箱のカバー係止構造は、例えば、電気接続箱をヒューズボックス、カバー被着体をヒュージブルリンクユニット、カバーをヒューズカバーとすることができる。この場合、ヒューズカバーのヒューズボックスからの取り外し作業に要する空間をコンパクトにし、且つヒューズカバーの取り外し作業を容易とすることができる。
【発明の効果】
【００１２】
本発明に係る電気接続箱のカバー係止構造によれば、カバー取り外し作業に際して作業者がロック解除のために手を入れる空間がカバーの周辺に不要となる。
【００１３】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１４】
【図１】本発明の一実施形態に係る電気接続箱のカバー係止構造を備えたカバー被着体とカバーとを示した分解斜視図である。
【図２】（ａ）は図１に示した電気接続箱の平面図、（ｂ）は（ａ）におけるＡ−Ａ断面図である。
【図３】（ａ）は図２に示したカバーの平面図、（ｂ）は（ａ）におけるＢ−Ｂ断面図である。
【図４】（ａ）は図３に示したロック片の要部拡大斜視図、（ｂ）は（ａ）に示したロック片を平面視、正面視及び側面視した３面図である。
【図５】（ａ）はカバーが取り付けられた状態の電気接続箱の側面図、（ｂ）はカバーが取り外し途中の電気接続箱の側面図である。
【図６】ロック片の操作部側と反操作部側とを併記した図で、（ａ）は通常ロック時、（ｂ）は垂直応力による負荷発生時、（ｃ）は開操作時の動作説明図である。
【発明を実施するための形態】
【００１５】
以下、本発明に係る実施形態を図面を参照して説明する。
図１は本発明の一実施形態に係る電気接続箱のカバー係止構造を備えたヒューズユニット１１とヒューズカバー１３とを示した分解斜視図である。
本実施形態に係る電気接続箱のカバー係止構造は、電気接続箱内に設置されたカバー被着体と、カバーと、を主要な構成として有する。
【００１６】
本実施形態において、電気接続箱としてのヒューズボックス１５内に設置されたカバー被着体はヒューズユニット１１であり、カバーはヒューズカバー１３である。なお、本発明に係るカバー被着体、カバー、並びに電気接続箱は、これに限定されない。本発明に係る電気接続箱のカバー係止構造は、カバー被着体が、例えばバスバユニットやリレーユニット等であってもよい。また、電気接続箱は、例えばジョイントボックスやリレーボックス等、或いはこれらが混在する箱体であってもよい。
【００１７】
図１に示すように、ヒューズユニット１１は、バッテリ１７と電源供給用の複数の電線（図示略）とを接続するものである。バッテリ１７は、正極及び負極の一対のバッテリポスト１９を有している。ヒューズボックス１５内のヒューズユニット１１には、正極のバッテリポスト１９に接続された電源線２１が接続される。即ち、ヒューズユニット１１は、例えば複数のヒューズを含む導電金属製の板状のヒューズエレメントと、ヒューズエレメントがインサート成型された電気絶縁性の樹脂ボディとで構成されたヒュージブルリンクユニットである。
【００１８】
ヒューズユニット１１は、電気絶縁性の樹脂により成形されたユニットハウジング２３を有する。ユニットハウジング２３の上面は、ヒューズカバー１３が取り付けられることにより覆われるカバー隠蔽面２５となる。本実施形態において、カバー隠蔽面２５は、複数のヒューズが配置されるカバー隠蔽面となる。ヒューズユニット１１は、カバー隠蔽面２５に対して垂直で互いに平行な第１側面部２７と第２側面部２９（図２参照）とをユニットハウジング２３に有する。これらの第１側面部２７と第２側面部２９とには、カバー隠蔽面２５に対して平行な被係止面部３１（図６参照）が少なくとも１つずつ形成される。本実施形態において、被係止面部３１は、第１側面部２７に２つ、第２側面部２９に１つの合計３つが設けられている。被係止面部３１は、例えば第１側面部２７と第２側面部２９に形成した凹部３３の内部上面により構成することができる。
【００１９】
図２（ａ）は図１に示したヒューズボックス１５の平面図、図２（ｂ）は図２（ａ）におけるＡ−Ａ断面図であり、図３（ａ）は図２に示したカバーの平面図、図３（ｂ）は図３（ａ）におけるＢ−Ｂ断面図である。
ヒューズカバー１３は、下面が開口部３５（図３参照）となった箱状に形成される。ヒューズカバー１３は、この開口部３５がユニットハウジング２３に被せられ、カバー隠蔽面２５を覆う。ヒューズカバー１３は、軟質性の樹脂により成形され、ある程度の柔らかさを有している。この柔らかさは、ヒューズカバー１３に加えられる開閉操作力によって、ヒューズカバー１３を全体的に弾性変形させることを許容している。
【００２０】
ヒューズカバー１３は、ヒューズユニット１１のカバー隠蔽面２５を覆う平行な天壁３７を有する。天壁３７の両側には、ヒューズユニット１１の第１側面部２７及び第２側面部２９にそれぞれ対向する第１側壁３９及び第２側壁４１が延設される。ヒューズカバー１３は、これら第１側壁３９と第２側壁４１の間が、第３側壁４３となる。この第３側壁４３には、操作部４５が突設される。操作部４５は、第３側壁４３から天壁３７と平行に突出した指掛け容易なタブ形状に形成されている。操作部４５は、例えば人差し指を下方に掛けることにより、ヒューズカバー１３に引き上げ方向の力が加えられるように形成されている。
【００２１】
ヒューズカバー１３の第１側壁３９と第２側壁４１には、上記したヒューズユニット１１の被係止面部３１のそれぞれをロック爪５１の係止面部５３が係止する複数のロック片４７が形成される。ロック片４７は、任意の数で第１側壁３９と第２側壁４１に設けることができる。本実施形態において、ロック片４７は、上記の被係止面部３１に数に応じ、第１側面部２７に２つ、第２側壁４１に１つの合計３つが設けられている。
【００２２】
図４（ａ）は図３に示したロック片４７の要部拡大斜視図、図４（ｂ）は図４（ａ）に示したロック片４７を平面視、正面視及び側面視した３面図である。
ロック片４７は、平行な一対のスリット４９（図３参照）が第１側壁３９及び第２側壁４１の開口部側から切り込み形成されることにより、下端（開口部側端）を自由端として形成された可撓片である。
図４に示すように、ロック片４７は、この下端におけるヒューズユニット１１の第１側面部２７及び第２側面部２９と対向する面側に、ロック爪５１が突設される。ロック爪５１は、係止面部５３を有する。この係止面部５３は、ヒューズユニット１１に形成されている被係止面部３１に平行若しくは鋭角で形成される。ここで、被係止面部３１に平行とは、ロック片４７の板面５５に対し係止面部５３が垂直の意である。また、鋭角の係止面部５３とは、ロック片４７の板面５５に対する係止面部５３の角度θが鋭角の意である。
【００２３】
ロック爪５１は、係止面部５３と、この係止面部５３に垂直な突出端面部５７とに挟まれるエッジ部５９を有する。突出端面部５７とは、ロック爪５１が、ロック片４７の板面５５から板厚ｔ方向に突出した面部分である。本実施形態において、このエッジ部５９は、鋭角断面となっている。
そして、これらロック片４７のうち少なくとも操作部４５に最も近いロック片４７（図３（ｂ）における右方のロック片）には、テーパ部６１が形成されている。テーパ部６１は、係止面部５３とこの係止面部５３に垂直な突出端面部５７とで挟まれるエッジ部５９の操作部側を操作部４５に向かって徐々に大きく切り欠いて形成される。
【００２４】
テーパ部６１は、図４（ａ）に示すように、略二等辺三角形の平面を有する。本実施形態において、テーパ部６１は、ロック爪５１の板幅Ｗの略半分の領域に形成される。つまり、図４（ａ）のロック爪５１は、左半分にエッジ部５９を有し、右半分にテーパ部６１を有している。
【００２５】
ヒューズカバー１３は、３つのロック片４７により三角形の３つの頂角に位置する係止部でヒューズユニット１１に保持される。ヒューズカバー１３には、この３つのロック片４７の１つに近接して操作部４５が配置されている。操作部４５が近接したロック片４７には、上記のテーパ部６１が、操作部側のロック爪５１に形成されている。
【００２６】
ヒューズカバー１３は、軟質の樹脂により形成されるためある程度の変形が可能となる。ヒューズカバー１３は、３つのロック片４７により支持されている状態で、その１点の近傍が操作部４５により引き上げられると、近傍に配置されたロック片４７も引き上げ方向に変位する。この変位は、三次元方向の捩れ変形によるものとなる。操作部４５の近傍のロック片４７は、この捩れ変形と、ヒューズカバー１３の揺動回転により、ロック爪５１のテーパ部６１が被係止面部３１に摺接し易くなるように構成されている。ロック爪５１のテーパ部６１が被係止面部３１に摺接したロック片４７は、被係止面部３１から反力を受け、被係止面部３１からの離反（引き剥がし）が容易となる。
【００２７】
また、上記テーパ部６１をロック爪５１に設けることで、テーパ部６１を被係止面部３１に円滑に摺接させることができ、ヒューズカバー１３の開操作時におけるロック片４７の破損も抑制される。
【００２８】
本実施形態に係る電気接続箱のカバー係止構造を備えたヒューズユニット１１は、ヒューズボックス１５に搭載される。ヒューズユニット１１は、ヒューズボックス１５の上部支持壁部６３（図２参照）に配置される。ヒューズボックス１５の上部支持壁部６３には、ヒューズカバー１３の第１側壁３９及び第２側壁４１の少なくとも一方（本実施形態においては、第１側壁３９）に近接してヒューズユニット１１を包囲する周壁６５が形成される。周壁６５の外面は、バッテリ１７に対向して配置される。
【００２９】
次に、上記した構成の作用を説明する。
図５（ａ）はヒューズカバー１３が取り付けられた状態のヒューズボックス１５の側面図、図５（ｂ）はヒューズカバー１３が取り外し途中のヒューズボックス１５の側面図である。図６はロック片４７の操作部側と反操作部側とを併記した図で、図６（ａ）は通常ロック時、図６（ｂ）は垂直応力による負荷発生時、図６（ｃ）は開操作時の動作説明図である。
本実施形態に係る電気接続箱のカバー係止構造では、図５（ａ）に示すように、ヒューズユニット１１に、ヒューズカバー１３が取り付けられることで、通常ロック状態となり、ヒューズユニット１１のカバー隠蔽面２５がヒューズカバー１３により覆われる。
【００３０】
図６（ａ）に示すように、通常ロック時、ヒューズカバー１３は、第１側壁３９及び第２側壁４１のそれぞれに設けられたロック片４７の係止面部５３が、ヒューズユニット１１の被係止面部３１のそれぞれを係止することにより、ヒューズユニット１１に取り付けられる。それぞれのロック片４７には、被係止面部３１を平行若しくは鋭角の係止面部５３で係止するロック片４７が形成される。ロック片４７は、この係止面部５３で被係止面部３１を係止することにより、ヒューズカバー１３をヒューズユニット１１に保持状態に固定（ロック）している。
【００３１】
複数のロック片４７のうち少なくとも操作部４５に最も近いロック片４７（図３（ｂ）における右方のロック片）には、テーパ部６１が形成されている。テーパ部６１は、係止面部５３とこの係止面部５３に垂直な突出端面部５７とで挟まれるエッジ部５９の操作部側が、操作部４５に向かって徐々に大きく切り欠かれて形成される。通常ロック時、ロック片４７の係止面部５３は、被係止面部３１との間に僅かなクリアランスを有して離間する。このクリアランスは、被係止面部３１に対する係止面部５３の係止及び係止解除を円滑に行わせるために設定される。この状態において、テーパ部６１は、係止面部５３よりも被係止面部３１から更に離間した位置に配置されている。
【００３２】
図６（ｂ）に示すように、車両搭載状態で、振動等により電気接続箱に外力が作用し、ヒューズカバー１３に垂直応力による負荷が発生すると、ヒューズカバー１３がヒューズユニット１１から離反する方向に移動する。ヒューズユニット１１から離反方向に移動したヒューズカバー１３は、ロック片４７の係止面部５３が、ヒューズユニット１１の被係止面部３１に当たり、それ以上の移動（即ち、ヒューズカバー１３の開放）が規制される。この状態においても、テーパ部６１は、被係止面部３１から離間した位置に配置されている。従って、ロック片４７は、従来構造と同様に、被係止面部３１を係止面部５３で係止した確実なロック状態を実現できる。
【００３３】
一方、ヒューズカバー１３は、開操作時に、図５（ｂ）に示すように、操作部４５が操作される。操作部側のロック片４７のテーパ部６１は、ヒューズカバー１３の操作部４５がヒューズカバー１３を取り外す方向に引き上げられると、係止面部５３が被係止面部３１から反力を受ける過程において、被係止面部３１に当たる。これは、テーパ部６１が操作部側のエッジ部５９に連続して形成されていること、操作部４５の操作によるヒューズカバー１３の揺動により、揺動半径の最も外側にテーパ部６１が配置されていること、上記した三次元方向の捩れ変形が生じることによる。
【００３４】
そのため、更に、操作部４５が引き上げられると、操作部側のロック片４７は、テーパ部６１により被係止面部３１から離反する方向の分力を受けて撓み、図６（ｃ）に示すように、被係止面部３１から離反する。その結果、操作部側のロック片４７は、被係止面部３１に対する係止面部５３の係止が解除される。また、この際、テーパ部６１は、ロックを解除する際のロック解除力の低減にも寄与する。
更に、エッジ部５９の一部分に設けたテーパ部６１は、ロック解除力を低下させることの背反である、垂直方向の保持力の低下を最小限に抑制している。
【００３５】
また、ヒューズカバー１３は、互いに平行な第１側壁３９及び第２側壁４１のうち、一方のロック片４７（第１側壁３９に形成された操作部側のロック片４７）の係止が解除されることにより、他方のロック片４７（第２側壁４１に形成されたロック片４７）の係止が容易に解除可能となる。第１側壁３９及び第２側壁４１のロック片４７が解除されたヒューズカバー１３は、反操作部側のロック片４７の係止部が回転支点となり、操作部４５が揺動先端となってヒューズユニット１１から浮上する。天壁３７がカバー隠蔽面２５に対して傾斜姿勢となったヒューズカバー１３は、他の反操作部側のロック片４７も被係止面部３１に対する係止面部５３の解除が容易となり、ヒューズユニット１１から取り外される。
【００３６】
このため、ヒューズカバー１３は、片手の手指による操作部４５の引き上げ動作のみで、取り外しが可能となる。従って、本実施形態に係る電気接続箱のカバー係止構造では、従来構造のように、作業者が両手で対向する係止部を離間する方向に押し広げてロック解除するために手を入れる空間がヒューズカバー１３の周辺に不要となる。
【００３７】
即ち、本実施形態に係る電気接続箱のカバー係止構造は、ヒューズボックス１５内への設置や周辺部品の密集等により、周辺スペースが無い場所であっても、ヒューズユニット１１からのヒューズカバー１３の取り外しを容易にすることができる。
【００３８】
また、本実施形態に係る電気接続箱のカバー係止構造では、ヒューズユニット１１が、ヒューズボックス１５内に搭載される。ヒューズボックス１５には、ヒューズユニット１１を包囲する周壁６５が形成されている。周壁６５に包囲されたヒューズユニット１１は、第１側壁３９が周壁６５に近接する。即ち、ヒューズボックス１５は、第１側壁３９と周壁６５との距離を小さくしてヒューズユニット１１を搭載できる。これにより、ヒューズボックス１５は、ヒューズユニット１１及び操作部４５を周壁６５に近接配置させて小型化を図る部品レイアウトに有効に用いることができる。
【００３９】
そして、本実施形態に係る電気接続箱のカバー係止構造では、バッテリ１７に近接してヒューズボックス１５を取り付けた際、ヒューズユニット１１及び操作部４５をバッテリ１７に近接配置できる。本実施形態に係る電気接続箱のカバー係止構造は、本実施形態のように、電気接続箱をヒューズボックス１５、カバー被着体をヒューズユニット１１、カバーをヒューズカバー１３とすることで、ヒューズカバー１３のヒューズボックス１５からの取り外し作業に要する空間をコンパクトにし、且つヒューズカバー１３の取り外し作業を容易とすることができる。
【００４０】
従って、本実施形態に係る電気接続箱のカバー係止構造によれば、カバー取り外し作業に際し作業者がロック解除のために手を入れる空間がヒューズカバー１３の周辺に不要となる。
【００４１】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４２】
例えば上記の構成例では、テーパ部６１が操作部４５に近接するロック片４７にだけ形成されが、テーパ部６１は、その他のロック片４７の操作部側のロック爪５１にも更に形成してもよい。テーパ部６１を複数のロック片４７に設ければ、上記同様の作用により、保持性能を低下させることなく、操作部４５によるヒューズカバー１３の取り外し性は、更に良好となる。
【００４３】
ここで、上述した本発明に係る電気接続箱のカバー係止構造の実施形態の特徴をそれぞれ以下［１］〜［３］に簡潔に纏めて列記する。
［１］  カバー隠蔽面（２５）に対して垂直で互いに平行な第１側面部（２７）及び第２側面部（２９）と、前記第１側面部（２７）及び前記第２側面部（２９）に少なくとも１つずつ形成されて前記カバー隠蔽面（２５）に対して平行な被係止面部（３１）と、を有するカバー被着体（ヒューズユニット１１）と、
前記カバー隠蔽面（２５）を覆う天壁（３７）の両側に延設されて前記第１側面部（２７）及び前記第２側面部（２９）にそれぞれ対向する第１側壁（３９）及び第２側壁（４１）と、前記第１側壁（３９）と前記第２側壁（４１）の間の第３側壁（４３）に突設された操作部（４５）と、前記第１側壁（３９）及び前記第２側壁（４１）に形成されて前記被係止面部（３１）のそれぞれを係止面部（５３）が係止する複数のロック片（４７）と、これらロック片（４７）のうち少なくとも前記操作部（４５）に最も近い前記ロック片（４７）に形成されて前記係止面部（５３）と前記係止面部（５３）に垂直な突出端面部（５７）とで挟まれるエッジ部（５９）の操作部側を前記操作部（４５）に向かって徐々に大きく切り欠いたテーパ部（６１）と、を有するカバー（ヒューズカバー１３）と、
を備えることを特徴とする電気接続箱のカバー係止構造。
［２］  上記［１］に記載の電気接続箱のカバー係止構造であって、
前記カバー被着体（ヒューズユニット１１）は、前記カバー（ヒューズカバー１３）における前記第１側壁（３９）及び前記第２側壁（４１）の少なくとも一方に近接して前記カバー被着体（ヒューズユニット１１）を包囲する周壁（６５）が形成された電気接続箱（ヒューズボックス１５）に搭載されることを特徴とする電気接続箱のカバー係止構造。
［３］  上記［２］に記載の電気接続箱のカバー係止構造であって、
前記電気接続箱（ヒューズボックス１５）は、前記周壁（６５）の一外面が、バッテリ（１７）に対向して配置されることを特徴とする電気接続箱のカバー係止構造。
【符号の説明】
【００４４】
１１…ヒューズユニット（カバー被着体）
１３…ヒューズカバー（カバー）
１５…ヒューズボックス（電気接続箱）
１７…バッテリ
２５…カバー隠蔽面
２７…第１側面部
２９…第２側面部
３１…被係止面部
３７…天壁
３９…第１側壁
４１…第２側壁
４３…第３側壁
４５…操作部
４７…ロック片
５３…係止面部
５７…突出端面部
５９…エッジ部
６１…テーパ部
６５…周壁
【図１】
2019054661.tif 000003
【図２】
2019054661.tif 000004
【図３】
2019054661.tif 000005
【図４】
2019054661.tif 000006
【図５】
2019054661.tif 000007
【図６】
2019054661.tif 000008